(57)【特許請求の範囲】
【請求項１】
上端に蝋涙受け皿を有する蜀台と、ローソク立てと、ローソク立て摺動管と、コイルスプリングと、を備え、
前記蜀台は、蝋涙受け皿の中央部に前記コイルスプリングの上端を係合すると共に前記ローソク立て摺動管の上端を係合する環状係合段部を残して前記ローソク立てを挿通可能な挿通開口部を有し、蜀台の底面は大きく開口され、
前記ローソク立ては、筒状で上端部にローソク起立ピンを有するローソク立て本体部を有し、下端部には底板を有し、中途部外周には前記コイルスプリングの下端係合用環状段部を有し、
前記ローソク立て摺動管は、前記コイルスプリングの径より大径で、その上端部が前記蜀台の環状係合段部に係合され、下端部には蜀台の底面開口部内に差込み固定可能な底板部を有し、
前記ローソク立ての底板は、蜀台の底面開口部内のローソク立て摺動管の底板部に当接係合され、
前記コイルスプリングは、前記環状係合段部とコイルスプリングの下端係合用環状段部との間に圧縮した状態で収容され、
前記蜀台の底面開口部の開口縁部には、ローソク立てと、ローソク立て摺動管と、コイルスプリングを含む蜀台全体の重さで前記コイルスプリングを圧縮した状態に維持する複数の維持手段と、維持状態に仮止めする複数の仮止め手段とを備え、
前記維持手段は、前記蜀台の底面開口部の開口縁部を中心としてローソク立ての底板部を押さえる方向に回動自在に備えられ、
前記仮止め手段は、その中央部を前記蜀台の底面開口縁部に軸止して底面開口縁部の面に沿って回動自在に備えられていることを特徴とする自動消火機能付きローソク立て。
【請求項２】
請求項１記載の自動消火機能付きローソク立てにおいて、
前記ローソク立て本体部には、ローソクを挟んでその抜け落ちを防止する複数の抜け落ち防止手段を備えることを特徴とする自動消火機能付きローソク立て。
【請求項３】
請求項１又は２に記載の自動消火機能付きローソク立てにおいて、
前記ローソク立て本体部は、ローソク立ての上端部に対し交換可能に構成されていることを特徴とする自動消火機能付きローソク立て。
【発明の詳細な説明】
【技術分野】
【０００１】
本発明は、自動消火機能付きローソク立てに関する。
【背景技術】
【０００２】
従来の自己消火機能を有するローソク立てとしては、特許文献１に記載のものがある。
この従来例は、底部を密閉するように台座の中心上に垂直に取り付けた筒形支柱本体を有し、側面に切り欠きを有するローソク台をローソク台支持ツメにより前記の筒形支柱本体の上方内部に常時支持する状態にてローソクを灯して使用し、地震発生時にはローソク台支持ツメが感振装置の働きに連動して支持を解除し、ローソク台を筒形支柱本体の下方内部にローソクと共に落下させる、そのためローソクの炎は、その燃焼するために必要とする空気が不足し消火する上記の構造と、消火作動後に平常状態に復帰するためにローソク台を筒形支柱本体の上部に引き上げるための復帰用引上棒を有する復帰用受皿を筒形支柱本体の下方内部に備えた構造を有する地震発生時に自己消火機能を有するローソク立てである。
【０００３】
即ち、従来の自己消火機能を有するローソク立ては、地震発生によりローソクの炎を自動的に消火するために振子の働きによりローソク台のローソク台支持ツメを解除してローソク台と共にローソクを筒形支柱本体の下方内部に落とし込む、それによりローソクの炎が燃焼するために必要な空気が不足して炎が消火するようにしたものである。
【先行技術文献】
【特許文献】
【０００４】
【特許文献１】実用新案登録第３０５７３３１号
【発明の概要】
【発明が解決しようとする課題】
【０００５】
しかしながら、従来例の自己消火機能を有するローソク立ては、筒形支柱本体の外側に、地震発生による振動を感知するための振子を備える必要があるため、ローソク立ての見栄えが悪くなるという問題がある。
また、地震の振動が激しくて、振子が振動を感知するより前に筒形支柱本体が転倒すると、ローソク台１が筒形支柱本体の下方内部に落下せず、その結果ローソクの炎の消火できなくなる可能性があるという問題がある。
【０００６】
本発明の解決しようとする課題は、地震の振動でローソク立てが転倒することでローソクの炎を迅速かつ確実に自動消火することができる自動消火機能付きローソク立てを提供することにある。
【課題を解決するための手段】
【０００７】
上記課題を解決するため請求項１記載の自動消火機能付きローソク立ては、上端に蝋涙受け皿を有する蜀台と、ローソク立てと、ローソク立て摺動管と、コイルスプリングと、を備え、
前記蜀台は、蝋涙受け皿の中央部に前記コイルスプリングの上端を係合すると共に前記ローソク立て摺動管の上端を係合する環状係合段部を残して前記ローソク立てを挿通可能な挿通開口部を有し、蜀台の底面は大きく開口され、
前記ローソク立ては、筒状で上端部にローソク起立ピンを有するローソク立て本体部を有し、下端部には底板を有し、中途部外周には前記コイルスプリングの下端係合用環状段部を有し、
前記ローソク立て摺動管は、前記コイルスプリングの径より大径で、その上端部が前記蜀台の環状係合段部に係合され、下端部には蜀台の底面開口部内に差込み固定可能な底板部を有し、
前記ローソク立ての底板は、蜀台の底面開口部内のローソク立て摺動管の底板部に当接係合され、
前記コイルスプリングは、前記環状係合段部とコイルスプリングの下端係合用環状段部との間に圧縮した状態で収容され、
前記蜀台の底面開口部の開口縁部には、ローソク立てと、ローソク立て摺動管と、コイルスプリングを含む蜀台全体の重さで前記コイルスプリングを圧縮した状態に維持する複数の維持手段と、維持状態に仮止めする複数の仮止め手段とを備え、
前記維持手段は、前記蜀台の底面開口部の開口縁部を中心としてローソク立ての底板部を押さえる方向に回動自在に備えられ、
前記仮止め手段は、その中央部を前記蜀台の底面開口縁部に軸止して底面開口縁部の面に沿って回動自在に備えられていることを特徴とする手段とした。
【０００８】
また、請求項２記載の自動消火機能付きローソク立ては、請求項１記載の自動消火機能付きローソク立てにおいて、
前記ローソク立て本体部には、ローソクを挟んでその抜け落ちを防止する複数の抜け落ち防止手段を備えることを特徴とする手段とした。
【０００９】
また、請求項３記載の自動消火機能付きローソク立ては、請求項１又は２に記載の自動消火機能付きローソク立てにおいて、
前記ローソク立て本体部は、ローソク立ての上端部に対し交換可能に構成されていることを特徴とする手段とした。
【発明の効果】
【００１０】
本発明の自動消火機能付きローソク立では、上述のように構成されるため、この自動消火機能付きローソク立てを使用するときは、先ず、ローソク本体部をその底板がローソク立て摺動管の底板部に当接係合するまでローソク立て摺動管内に押し込んでコイルスプリングを圧縮した状態とし、この状態で、仮止め手段を底面開口縁部の円弧とは交差する方向に回動させることにより、ローソク本体部の底板を押さえた状態に仮止めすると共に、前記維持手段をローソク本体部の底板を押さえる方向に回動させる。
【００１１】
この状態で蜀台を立てることにより、仮止め手段と維持手段とによりコイルスプリングが圧縮された状態に維持される。
そこで、蜀台を立てると、ローソク立てと、ローソク立て摺動管と、コイルスプリングを含む蜀台全体の重さで前記コイルスプリングが圧縮した状態に維持される。
次に、仮止め手段を底面開口縁部の円弧と平行する方向に回動させることにより、ローソク本体部の底板を押さえた仮止め状態が解除され、これにより、自動消火機能付きローソク立てが使用状態にセットされる。
【００１２】
次に、この状態で、ローソクに点火して使用中に、地震が発生して蜀台が倒れると、維持手段が回動してローソク本体部の底板を押さえた維持状態が解除され、これにより、圧縮されたコイルスプリングの反発力でローソク本体部がローソク立て摺動管から押し出され、ローソクがローソク立て摺動管の狭い空間内に引き込まれるため、酸素不足状態になって即時に消火される。
従って、地震の振動でローソク立てが転倒することでローソクの炎を迅速かつ確実に自動消火することができるようになるという効果が得られる。
【図面の簡単な説明】
【００１３】
【図１】実施例１の自動消火機能付きローソク立てを示す縦断面図である。
【図２】実施例１の自動消火機能付きローソク立てを示す底面図である。
【図３】図２のＡ―Ａ線における縦断面図である。
【図４】地震発生時の自動消火状態を示す縦断面図である。
【発明を実施するための形態】
【００１４】
以下にこの発明の実施例を図面に基づいて説明する。
【実施例１】
【００１５】
まず、この実施例１の自動消火機能付きローソク立を図面に基づいて説明する。
この自動消火機能付きローソク立ては、図１〜３に示すように、上端に蝋涙受け皿１１を有する蜀台１と、ローソク立て２と、ローソク立て摺動管３と、コイルスプリング４と、を備えている。
【００１６】
さらに詳述すると、前記蜀台１は、蝋涙受け皿１１の中央部に前記コイルスプリング４の上端を係合すると共に前記ローソク立て摺動管３の上端を係合する環状係合段部１２を残して前記ローソク立て２を挿通可能な挿通開口部１３を有し、蜀台１の底面は大きく開口されている。
【００１７】
また、前記ローソク立て２は、筒状で上端部にローソク起立ピン２１ａを有するローソク立て本体部２１を有し、下端部には底板２２を有し、中途部外周には前記コイルスプリング４の下端係合用環状段部２３を有している。
【００１８】
また、前記ローソク立て摺動管３は、前記コイルスプリング４の径より大径で、その上端部が前記蜀台１の環状係合段部１２に係合され、下端部には蜀台１の底面開口部内に差込み固定可能な底板部１３を有している。
【００１９】
また、前記ローソク立て２の底板２２は、蜀台１の底面開口部１４内のローソク立て摺動管３の底板部３１に当接係合されている。
【００２０】
また、前記コイルスプリング４は、前記環状係合段部１２とコイルスプリングの下端係合用環状段部２３との間に圧縮した状態で収容されている。
【００２１】
また、前記蜀台１の底面開口部１４の底面開口縁部１４ａには、ローソク立て２と、ローソク立て摺動管３と、コイルスプリング４を含む蜀台１全体の重さで前記コイルスプリング４を圧縮した状態に維持する複数の維持手段５と、維持状態に仮止めする複数の仮止め手段６とを備えている。
【００２２】
また、前記維持手段５は、前記蜀台１の底面開口部１４の開口縁部１４ａを中心としてローソク立て２の底板部２２を押さえる方向に回動自在に備えられている。
【００２３】
また、前記仮止め手段６は、その中央部を前記蜀台１の底面開口部１４に軸止して底面開口縁部１４ａの面に沿って回動自在に備えられている。
【００２４】
また、前記ローソク立て本体部２１には、ローソク７を挟んでその抜け落ちを防止する複数の抜け落ち防止手段８を備えている。
【００２５】
また、前記ローソク立て本体部２１は、ローソク立て２の上端部に対し交換可能に構成されている。
即ちこの実施例１では、ローソク立て本体部２１の底面にネジ棒２１ａを備え、このネジ棒２１ｂをローソク立て本体部２１のネジ穴２１ｃに螺合することにより、サイズの異なるローソク立て本体部２１に交換可能に構成されている。
【００２６】
次に、この実施例１の作用を説明する。
この実施例１の自動消火機能付きローソク立ては、上述のように構成されるため、この自動消火機能付きローソク立てを使用するときは、図１〜３に示すように、先ず、ローソク本体部２１をその底板２２がローソク立て摺動管３の底板部３１に当接係合するまでローソク立て摺動管３内に押し込んでコイルスプリング４を圧縮した状態とし、この状態で、仮止め手段６を底面開口縁部１４ａの円弧とは交差する方向に回動させることにより、ローソク本体部２１の底板２２を押さえた状態に仮止めすると共に、前記維持手段５をローソク本体部２１の底板２２を押さえる方向に回動させる。
この状態で蜀台１を立てることにより、仮止め手段６と維持手段５とによりコイルスプリング４が圧縮された状態に維持される。
そこで、蜀台１を立てると、ローソク立て２と、ローソク立て摺動管３と、コイルスプリング４を含む蜀台１全体の重さで前記コイルスプリング４が圧縮した状態に維持される。
次に、仮止め手段６を底面開口縁部１４ａの円弧と平行する方向に回動させることにより、ローソク本体部２１の底板２２を押さえた仮止め状態が解除され、これにより、自動消火機能付きローソク立てが使用状態にセットされる。
【００２７】
次に、この状態で、ローソク７に点火して使用中に、地震が発生して蜀台１が倒れると、維持手段５が回動してローソク本体部２１の底板２２を押さえた維持状態が解除され、これにより、圧縮されたコイルスプリング３の反発力でローソク本体部２１がローソク立て摺動管３から押し出され、図４に示すように、ローソク７がローソク立て摺動管３の狭い空間内に引き込まれるため、酸素不足状態になって即時に消火される。
【００２８】
次に、この実施例１の効果を説明する。
この実施例１の自動消火機能付きローソク立てでは、上述のように構成されるため、地震の振動でローソク立てが転倒することでローソクの炎を迅速かつ確実に自動消火することができるようになるという効果が得られる。
【００２９】
以上本実施例を説明してきたが、本発明は上述の実施例に限られるものではなく、本発明の要旨を逸脱しない範囲の設計変更等があっても、本発明に含まれる。
【符号の説明】
【００３０】
１  蜀台
１１  蝋涙受け皿
１２  環状係合段部
１３  挿通開口部
１４  底面開口部
１４ａ  底面開口縁部
２  ローソク立て
２１  ローソク立て本体部
２１ａ  ローソク起立ピン
２１ｂ  ネジ棒
２１ｃ  ネジ穴
２２  底板
２３  コイルスプリングの下端係合環状段部
３  ローソク立て摺動管
３１  底板部
４  コイルスプリング
５  維持手段
６  仮止め手段
７  ローソク
８  抜け落ち防止手段
【要約】
【課題】  地震の振動でローソク立てが転倒することでローソクの炎を迅速かつ確実に自動消火することができる自動消火機能付きローソク立ての提供。
【解決手段】  上端に蝋涙受け皿１１を有する蜀台１と、ローソク立て２と、ローソク立て摺動管３と、コイルスプリング４と、を備え、蜀台１は、蝋涙受け皿１１の中央部にコイルスプリング４の上端を係合すると共にローソク立て摺動管３の上端を係合する環状係合段部１２を残してローソク立て２を挿通可能な挿通開口部１３を有し、蜀台１の底面は大きく開口され、ローソク立て２は、筒状で上端部にローソク起立ピン２１ａを有するローソク立て本体部２１を有し、下端部には底板２２を有し、中途部外周には前記コイルスプリング４の下端係合用環状段部２３を有し、ローソク立て摺動管３は、コイルスプリング４の径より大径で、その上端部が前記蜀台１の環状係合段部１２に係合され、下端部には蜀台１の底面開口部内に差込み固定可能な底板部１３を有し、ローソク立て２の底板２２は、蜀台１の底面開口部１４内のローソク立て摺動管３の底板部３１に当接係合され、コイルスプリング４は、環状係合段部１２とコイルスプリングの下端係合用環状段部２３との間に圧縮した状態で収容され、蜀台１の底面開口部１４の底面開口縁部１４ａには、ローソク立て２と、ローソク立て摺動管３と、コイルスプリング４を含む蜀台１全体の重さで前記コイルスプリング４を圧縮した状態に維持する複数の維持手段５と、維持状態に仮止めする複数の仮止め手段６とを備え、維持手段５は、前記蜀台１の底面開口部１４の開口縁部１４ａを中心としてローソク立て２の底板部２２を押さえる方向に回動自在に備えられ、仮止め手段６は、その中央部を前記蜀台１の底面開口部１４に軸止して底面開口縁部１４ａの面に沿って回動自在に備えられ、ローソク立て本体部２１には、ローソク７を挟んでその抜け落ちを防止する複数の抜け落ち防止手段８を備え、ローソク立て本体部２１は、ローソク立て２の上端部に対し交換可能に構成されている。
【選択図】      図１【図１】
0006741895.tif 000002
【図２】
0006741895.tif 000003
【図３】
0006741895.tif 000004
【図４】
0006741895.tif 000005